(57)【特許請求の範囲】
【請求項１】
機構板側に位置する後側壁と該後側壁に対向する前側壁と長手方向の左側壁と右側壁と底部とを有して上面が開口された長方形箱体のパチンコ機の球タンクであって、
前記球タンクの底部を前記左側壁から前記右側壁に向けてさらに凹ませて断面凹溝形状の通路部を設けると共に、前記通路部を前記左側壁から前記右側壁に向けて漸次深くなるように下り傾斜状に形成し、前記右側壁から稍々手前となる位置を前記通路部の球出口として形成したことを特徴とするパチンコ機の球タンク。
【請求項２】
前記球タンクの底部の後側壁側を前記通路部に向けて下り傾斜させたことを特徴とする請求項１記載のパチンコ機の球タンク。
【請求項３】
前記球タンクの底部の前側壁側を前記通路部の傾斜と反対方向に下り傾斜させたことを特徴とする請求項１又は２記載のパチンコ機の球タンク。
【請求項４】
前記通路部の球出口箇所であって前記球タンクの底部から下方に位置するように球ならしを設けてなることを特徴とする請求項１乃至３記載のパチンコ機の球タンク。
【発明の詳細な説明】
【０００１】
【発明の属する技術分野】
本発明は、パチンコ機の上方の補給経路から補給されるパチンコ球を貯留してパチンコ球払出装置に導くための球タンクに関するものである。
【０００２】
【従来の技術】
最近のパチンコ機は、遊技盤上に始動入賞口，可変表示装置，大入賞口等を配設し、始動入賞口に遊技球が入賞すると可変表示装置の図柄を変動させると共に、その停止時の表示があらかじめ定められた大当たり図柄を表示する特定遊技状態（大当たり）となって大入賞口を開放する動作を繰り返すようにした遊技内容を有するものが主流となっている。
【０００３】
一方、遊技盤の裏面には合成樹脂性の機構板が開閉可能に装着されており、該機構板のほぼ中央部に開設された窓孔に上記の遊技内容を抑制するための回路基板を収納した基板ボックスが配設されている。また、機構板の上部には周知のように球タンクと該球タンクの底部に設けられた落下口に連通するタンクレールが設けられており、該球タンク内のパチンコ球をタンクレールを介してパチンコ球払出装置へ導くようになっている。
【０００４】
ところで、最近のパチンコ機にあっては遊技内容の高度化などに伴って大きな回路基板が必要とされるようになってきており、このため、回路基板を収納する基板ボックスも大型化されて機構板の窓孔部分に装着することが困難な状態になりつつある。このようなことは機構板の窓孔を大きくすることによって簡単に解決できるように考えられるが、機構板には上記した球タンク，タンクレール，パチンコ球払出装置等の裏部品が装着されている関係上、窓孔の大きさも限られたものとなって該窓孔を大きくすることは無理であった。
【０００５】
そこで、このような問題点を解決するために、球タンクの一側壁に流出口を開設し、球タンクの底部にパチンコ球を整列して流出口へ導くための通路部を形成することにより、タンクレールを不要として機構板の窓孔を大きくすることができるようにしたものが提案されている（例えば特開平７−５１４５３号公報参照）。
【０００６】
【発明が解決しようとする課題】
しかしながら、前記に述べた従来の球タンクにあっては、タンクレールを不要として機構板の窓孔を大きくすることができるとしても、球ならしの設置場所がないために、球ならしが設けられていないので、球タンク内のパチンコ球が通路部から流出口へ集中したときに、パチンコ球を一列に整列させることができず、流出口部分で球噛みを起こし、パチンコ球が流出口から流出でき得なくなるという問題点があった。
【０００７】
そこで本発明の目的は、球タンクの底部に断面凹状の深い溝状の通路部を一体に形成することによりタンクレールを不要とし、しかも、球ならしを球タンクの球出口に設けて、球タンクから流出するパチンコ球の球圧に対して有効に作用して球詰まりを生じることなく一列に整列させて流出させることができるようにしたパチンコ機の球タンクを提供することにある。
【０００８】
【課題を解決するための手段】
上記目的を達成するために、本発明に係るパチンコ機の球タンクは、上面が開口された長方形箱体の長手方向の底部のほぼ中央部に一方の側面から反対側の側面に向けて断面凹溝形状の通路部を傾斜状に設けると共に、前記反対側の側面から稍々手前となる位置を通路部の球出口として形成し、前記球タンクの底部の球出口箇所に球ならしを設けてなるものである。
【０００９】
前記球ならしは支持部と球ならし本体部との二部材からなり、前記支持部は軸通孔を有する筒部に一体に設けた支持片に支持軸を架設し、前記球ならし本体部は上部に前記支持軸を挿通可能な切溝を介して外部と連通する支持孔を備えて、前記支持部の軸通孔をこの支持軸を球流路に設置するための横軸の直径より大きくして形成し、支持部の軸通孔を横軸に遊びを備えて揺動自在に遊嵌設置してなるのが好ましい。
【００１０】
前記球ならしの取付部材は断面Ｈ型になる取付部、該取付部から曲折設置された側壁に突設する横軸及びカバー部を有して形成し、前記横軸に球ならしの支持部の軸通孔を揺動自在に遊挿設置すると共に、球タンクの側壁に縦溝を設け、前記取付部を縦溝に着脱自在に設置して球ならしを球タンクの底部から下方へ垂下設置するのが好ましい。
【００１１】
【発明の実施の形態】
以下に本発明を図面を参照して説明する。図１は本発明の球タンクが装着されたパチンコ機の裏面図、図２は本発明に係る球タンクが組み付けられた機構板の斜視図、図３は本発明に係る球タンクと機構板の上部部分とを示す要部分解斜視図で、１は前面枠、２は遊技盤、３は遊技盤２の裏面に開閉自在に装着された機構板で、該機構板３の裏面上部には凹面部４が備えられて、該凹面部４に球タンク５が設置される。前記機構板３の一方側（図１の右側）位置にはパチンコ球払出装置６と球タンク５に貯留されるパチンコ球をパチンコ球払出装置６へ導く屈曲レール７が配設される。また、パチンコ球払出装置６の下方には景品球として払い出されたパチンコ球を前面枠１の打球供給皿（図示せず）へ導くための排出樋８が形成される等の各種の裏部品が設けられている。
【００１２】
図４は本発明に係る球タンクの分解斜視図、図５は球ならしと取付部材を分離して示す斜視図、図６は屈曲レールを接続した球タンクに球ならしを設置して示す断面図、図７は球タンクの底部の球ならしの作用を示す要部断面図、図８は図６のＡ−Ａ線断面図である。次に、図４乃至図８を参照して本発明に係る球タンク５の具体的な構造を説明する。球タンク５は機構板３に接する後側壁９と該後側壁９の幅方向に対向する前側壁１０と長手方向の左側壁１１及び右側壁１２と底部１３とを有して上面が開放された長方形箱体５ａとして構成される。この長方形箱体５ａの底部１３は長手方向のほぼ中央の左側壁１１から右側壁１２に至る全長を開口１４して左側壁１１から右側壁１２の稍々手前位置に至る断面凹溝形状の通路部１５が一体に形成され、この通路部１５は左側壁１１から右側壁１２に向けて漸次深くなるように下り傾斜状に形成されており、その下流端には右側壁の稍々手前になるように位置して球出口１６が開設されている。また通路部１５の内底面にはほぼ中央部から下流端部にかけて仕切壁１７が設けられており、該仕切壁１７によってパチンコ球が２列に整列しながら球出口１６に向けて流下するように球通路１８ａ，１８ｂが形成されている。
前記仕切壁１７は図６に示すように下流端方向に向けて漸次高くなるように形成されており、その下流端の高さはパチンコ球の直径より若干低くなるように形成されている。なお、上記した実施例では通路部１５の球通路を２列として説明したが１列又は３列であってもよい。
【００１３】
そして、長方形箱体５ａの底部１３は、前記通路部１５の開口１４を挟む後側壁９側の底面部１３ａを長手方向に水平でかつ開口１４へ向けて下り傾斜させ、前側壁１０側の底面部１３ｂを右側壁１２から左側壁１１へ向けて前記通路部１５の傾斜と反対方向となる下り傾斜としている。
また、前記底面部１３ｂの下流端には球量検知用のスイッチ手段が設けられている。このスイッチ手段は、底面部１３ｂに開口１９を設け、該開口１９に球量検知板２０を軸２１によって揺動自在に軸支すると共に、該球量検知板２０の下方にスイッチ取付部材２２に取付けられた検出スイッチとしてのマイクロスイッチ２２ａを設けている。前記軸２１は、スイッチ取付部材２２に設けられた弾性保持片２２ｂの係合凹部２２ｃに軸２１の凹溝２１ａを係合させることでＥリングを不用としている。また前記軸２１とマイクロスイッチ２２ａは前側壁１０の下部に一体に設けられた押え片１０ａ，１０ｂによって抜け止めされている。
【００１４】
前記長方形箱体５ａの左側壁１１には、球タンク内のパチンコ球に帯電した静電気を放電するための放電板２３が設けられている。また、前記長方形箱体５ａには通路部１５の球出口１６の部分位置に球ならし２４が配設される。
【００１５】
上記のような通路部１５を一体に備える球タンク５は機構板３の凹面部４に後側壁９を当てがってビス止め等の適宜手段によって固着される。そして、図１及び図２に示すように通路部１５の球出口１６と屈曲レール７とを接続させることによって球タンク５に貯留されるパチンコ球を球出口１５から屈曲レール７へ流出させ、この屈曲レール７を介してパチンコ球払出装置６に流送し得るようになっている。
【００１６】
前記球ならし２４は取付部材２５に揺動自在に設置される。該取付部材２５は取付部２５ａと、この取付部２５ａに曲折設置した側壁部２５ｂと、該側壁部２５ｂに突設する横軸２５ｃ、及び球ならし２４の上面を覆うカバー部２５ｄを一体に有して形成され、前記取付部２５ａは断面Ｈ形状に形成されている。一方、長方形箱体５ａの右側壁１２には頂縁から下方へ穿設する筋状の縦溝１２ａが設けられ、この縦溝１２ａに断面Ｈ形状の取付部２５ａを差し込んで長方形箱体５ａの右側壁１２に着脱自在に設置して球ならし２４を長方形箱体５ａの底部１３の通路部１５へ垂下させて球ならし２４が通路部１５の球出口１６の部分位置に配設されるように設置する。
【００１７】
前記球タンク５の底部１３に付設される球ならし２４は、図４，図５に示すように、支持部２６と、屈曲レール７の各球通路７ａ，７ｂにそれぞれに対応するように球ならし本体部２７，２７とより２分割構造として構成される。前記支持部２６は、前記取付部材２５の横軸２５ｃに挿通する軸通孔２６ａを貫通した筒部２６ｂの外側端に下方へ突出する支持片２６ｃ，２６ｃを一体に有し、これらの支持片２６ｃ，２６ｃ間に支持軸２６ｄを水平に架設すると共に、該支持軸２６ｄは中間仕切り壁２６ｅを設けて前後に区画して形成されている。
【００１８】
一方、球ならし本体部２７は長円形であって、且つ各球流路７ａ，７ｂの通路幅とほぼ等しい厚さの立体形に形成されている。そして、該球ならし本体２７の上部に切溝２７ａを介して外部と連通するフック状に形成した支持孔２７ｂを開設している。前記切溝２７ａは支持部２６の支持軸２６ｄに挿通可能な幅に形成され、支持孔２７ｂの直径より小さく形成し、支持軸２６ｄに挿通したときに、支持孔２７ｂに遊びを備えるように遊挿される。また、球ならし本体部２７には重錘２７ｃがそれぞれに設けられている。
【００１９】
そして、上記した支持部２６の仕切壁２６ｅで区画された両側の支持軸２６ｄにそれぞれ球ならし本体部２７，２７の上部に設けた切溝２７ａを当て支持孔２７ｂを嵌着させる。これにより、球ならし本体部２７，２７が支持部２６に揺動自在に支持され、一体構造をなす球ならし２４が組立てられる。そして、支持部２６の筒部２６ｂの軸通孔２６ａを取付部材２５の横軸２５ｃに挿通し、これによって球ならし２４が取付部材２５に揺動自在に取りつけられる。なお、支持部２６の軸通孔２６ａは取付部材２５の横軸２５ｃより大きい直径にして、横軸２５ｃに対して遊びを有して揺動自在に遊挿される。
【００２０】
しかして、上記のように構成される球タンク５は図示しないパチンコ機の上方の補給経路から補給されるパチンコ球が貯留されるが、球タンク５に貯留されるパチンコ球は通路部１５を流下し、球出口１６から屈曲レール７を介してパチンコ球払出装置６へ導かれる。その際に、球ならし２４は、取付部材２５により球タンク５の長手方向の右側壁１２に設けて球タンク５の内部に設置されて球タンク５の底部１３から下方へ垂下設置されるので、球ならし２４の設置スペースを特別に確保する必要もなく、しかも、球タンク５の容積を減少させる必要もなく球ならし２４を設置することが可能となる。
【００２１】
また、球タンク５の球出口１６から屈曲レール７の各球流路７ａ，７ｂへ重なって流下する多くのパチンコ球は、その球圧により球ならし本体部２７，２７をそれぞれ揺動させるようなことがあっても、各球ならし本体部２４ａ，２４ａはパチンコ球の球圧の変化に応じて、図６に示すように、支持軸２６ｄ，２６ｄを支点に揺動し、又は、支持部２６が横軸２５ｂを支点に揺動してパチンコ球に常に流動作用を付与するために、各球流路１８ａ，１８ｂを重なって流下するパチンコ球と各球ならし２７，２７のバランスがとれて起こる球詰まりが少なくなり、各球流路１８ａ，１８ｂのパチンコ球を確実に整流して屈曲レール７の各球通路７ａ，７ｂへ流下させることができる。
【００２２】
また、球ならし本体部２７の支持孔２７ｂの直径を支持部２６の支持軸２６ｄの直径より大きくすると共に、支持部２６の軸通孔２６ａの直径を取付部材２５の横軸２５ｃの直径より大きく形成して、球ならし本体部２７と支持部２６の２箇所で、それぞれの支持軸２６ｄ及び横軸２５ｃに遊びを備えさせて遊挿することにより球流路１８ａ，１８ｂを重なって流下するパチンコ球に極めて有効な流動作用を付与することができ、球詰まりを起こす確率を更に少なくすることができる。
【００２３】
【発明の効果】
本発明は上記のような構成になるので、機構板に対する球タンクの設置面積を小さくすることができ、球ならしを球タンクに設けることにより球ならしの設置スペースを特別に確保する必要がないばかりでなく、球ならしを設けることによって球タンクの容積を減少することもないし、しかも、各種部品の設置スペースも確保でき、球流路を重なって流下するパチンコ球に極めて有効な流動作用を付与することができ、球詰まりを起こす確率を少なくすることができる等の利点がある。
また、支持部と球ならし本体部との二部材からなる球ならしは、球ならし本体部と支持部の連結箇所に加えて、支持部と横軸にも遊びを備えさせて遊挿することにより更に球詰まりを起こす確率を少なくすることができる。
【図面の簡単な説明】
【図１】パチンコ機の裏面図である。
【図２】本発明に係る球タンクが設けられた機構板の斜視図である。
【図３】本発明に係る球タンクと機構板の上部部分の分解斜視図である。
【図４】本発明に係る球タンクの分解斜視図である。
【図５】本発明に係る球ならしと取付部材を分離して示す斜視図である。
【図６】本発明に係る球タンクに屈曲レールを接続設置して示す正面断面図である。
【図７】本発明の球タンクの底部の球ならしの作用を示す要部断面図である。
【図８】図６のＡ−Ａ線断面図である。
【符号の説明】
３                機構板
５                球タンク
５ａ              長方形箱体
６                パチンコ球払出装置
７                屈曲レール
９                後側壁
１０              前側壁
１１              左側壁
１２              右側壁
１２ａ            縦溝
１３              底部
１５              通路部
１６              球出口
２４              球ならし
２５              取付部材
２５ａ            取付部
２５ｂ            横板
２５ｃ            横軸
２５ｄ            カバー
２６              支持部
２６ａ            軸通孔
２６ｂ            筒部
２６ｃ            支持片
２６ｄ            支持軸
２７              球ならし本体部
２７ａ            切溝
２７ｂ            支持孔
【図１】
0003965219.tif 000002
【図２】
0003965219.tif 000003
【図３】
0003965219.tif 000004
【図４】
0003965219.tif 000005
【図５】
0003965219.tif 000006
【図６】
0003965219.tif 000007
【図７】
0003965219.tif 000008
【図８】
0003965219.tif 000009